(57)【要約】【課題】  十分な発電電力を得ることができ、しかも携帯電話機の組立に多くの作業量を必要とせず、またカラーデザイン的に制約を受けない携帯電話機を提供すること。【解決手段】  キーボタンを有する操作部１３及び表示部１４を含む携帯電話機１０であって、本体ケース１１と裏蓋１２を含む筐体を透明太陽電池により構成し、透明太陽電池の発生電力を携帯電話機の動作電源乃至内蔵電池の充電電源とすることを特徴とする。【選択図】        図１
2005129987.tif 000002
【特許請求の範囲】
【請求項１】
キーボタン及び表示部を含む携帯電話機であって、筐体全体を透明太陽電池により構成し、透明太陽電池の発生電力を携帯電話機の動作電源とすることを特徴とする筐体を透明太陽電池製とした携帯電話機。
【請求項２】
透明太陽電池の内側のガラス板を不透明に着色したことを特徴とする請求項１に記載の筐体を透明太陽電池製とした携帯電話機。
【請求項３】
筐体の内面に不透明な覆い部材を装着したことを特徴とする請求項１に記載の筐体を透明太陽電池製とした携帯電話機。
【請求項４】
透明太陽電池製筐体に、充電端子用開口、マイク用開口、スピーカ用開口、キーボタン用開口が形成されていることを特徴とする請求項１乃至請求項３のいずれか１項に記載の筐体を透明太陽電池製とした携帯電話機。
【請求項５】
透明太陽電池製筐体に、表示部用開口が形成されていることを特徴とする請求項４に記載の筐体を透明太陽電池製とした携帯電話機。
【請求項６】
透明太陽電池の発生電力で表示部のバックライトを点灯するようにしたことを特徴とする請求項１乃至請求項５のいずれか１項に記載の筐体を透明太陽電池製とした携帯電話機。
【請求項７】
透明太陽電池の発生電力を携帯電話機の動作電源として、内蔵電池の消耗を防ぐようにしたことを特徴とする請求項１乃至請求項５のいずれか１項に記載の筐体を透明太陽電池製とした携帯電話機。
【請求項８】
透明太陽電池の発生電力で内蔵電池を充電するようにしたことを特徴とする請求項１乃至請求項５のいずれか１項に記載の筐体を透明太陽電池製とした携帯電話機。
【請求項９】
透明太陽電池に対する入射光量により発生電力が変化した場合でも、携帯電話機の動作電力圧に適合するように調整する電圧調節機能を有したことを特徴とする請求項１乃至請求項５のいずれか１項に記載の筐体を透明太陽電池製とした携帯電話機。
【請求項１０】
透明太陽電池の発電単位である各セルの電圧が、携帯電話機の動作電圧に適合するように各セルを直並列に組合わせて調整する電圧調整機能を有したことを特徴とする請求項１乃至請求項５のいずれか１項に記載の筐体を透明太陽電池製とした携帯電話機。
【発明の詳細な説明】
【技術分野】
【０００１】
本発明は、筐体を透明太陽電池により構成した携帯電話機に関する。
【背景技術】
【０００２】
本体ケースの一部を除く各面に凹陥部を形成して、これらの凹陥部にそれぞれ太陽電池セルが形成されている太陽電池パネルを収納し、太陽電池が発生する電力を内蔵二次電池に充電するようにした携帯電話機が提案されている（例えば、特許文献１参照）。
【０００３】
またガラス基板に可視光透過型光起電力セルを形成して、これに太陽光を当て、太陽光のうちの紫外光を利用して発電するようにした、可視光及び赤外光を透過する透明な太陽電池が提案されている（例えば、非特許文献１参照）。
【特許文献１】特開２００２−３５９６７６号公報
【非特許文献１】「透明な太陽電池の試作に成功」（独立行政法人産業技術総合研究所、２００３年６月２５日プレス発表）
【発明の開示】
【発明が解決しようとする課題】
【０００４】
しかし前記特許文献１の携帯電話機は、本体ケース（即ち筐体）の各面に太陽電池パネルを収納するための凹陥部を予め形成しておき、これらに太陽電池パネルを組み込むので、そのための作業量が多くなリ、全体として携帯電話機の組立に多くの作業量を必要とすることになる。
また従来の太陽電池の受光面は一般的には黒色等の色彩を帯びており、そのような色彩を帯びた太陽電池が本体ケース（即ち筐体）の略全面に配置されていることにより、デザイン的に携帯電話機全体がその色彩に影響されてしまい、カラーデザイン的に制約を受ける。
【０００５】
本発明は、上記のような点に鑑み、十分な発電電力を得ることができ、しかも携帯電話機の組立に多くの作業量を必要とせず、またカラーデザイン的に制約を受けない携帯電話機を提供することを目的とする。
【課題を解決するための手段】
【０００６】
上記目的を達成するために、本発明の携帯電話機は、キーボタン及び表示部を含む携帯電話機であって、筐体全体を透明太陽電池により構成し、透明太陽電池の発生電力を携帯電話機の動作電源とすることを特徴とする。
【０００７】
また上記の携帯電話機は、透明太陽電池の内側のガラス板を不透明に着色した、又は筐体の内面に覆い部材を装着したことを特徴とする。
【０００８】
また上記の各携帯電話機は、透明太陽電池製筐体に、充電端子用開口、マイク用開口、スピーカ用開口、キーボタン用開口が形成されていることを特徴とする。
【０００９】
さらに上記の携帯電話機は、透明太陽電池製筐体に、表示部用開口が形成されていることを特徴とする。
【００１０】
さらに上記の各携帯電話機は、透明太陽電池の発生電力で表示部のバックライトを点灯するようにしたことを特徴とする。
【００１１】
さらに上記の各携帯電話機は、透明太陽電池の発生電力を携帯電話機の動作電源として、内蔵電池の消耗を防ぐようにしたことを特徴とする。
【００１２】
さらにまた上記の各携帯電話機は、透明太陽電池の発生電力で内蔵電池を充電するようにしたことを特徴とする。
【００１３】
さらに、上記の携帯電話機は、透明太陽電池に対する入射光量により発生電力が変化した場合でも、携帯電話機の動作電力圧に適合するように調整する電圧調節機能を有したことを特徴とする。
【００１４】
また、上記の携帯電話機は、透明太陽電池の発電単位である各セルの電圧が、携帯電話機の動作電圧に適合するように各セルを直並列に組合わせて調整する電圧調整機能を有したことを特徴とする。
【発明の効果】
【００１５】
筐体全体を透明太陽電池で構成することにより、受光面積を大きくして十分な発電電力を得ることができ、しかも携帯電話機の組立に多くの作業量を必要とせず、またカラーデザイン的に制約を受けることもない。
【発明を実施するための最良の形態】
【００１６】
本発明を実施するための最良の形態を実施例に基づき図面を参照して説明する。
【実施例１】
【００１７】
図１は本発明の携帯電話機の斜視図である。
携帯電話機１０の筐体は内部構成部品（制御部，送受信部，操作部，表示部，内蔵電池，充電端子等）を収納する本体ケース１１と裏蓋１２とから成り、いずれも透明太陽電池で構成されている。
透明太陽電池は、予めガラス基板を携帯電話機の形状に成型し、これに多数の可視光透過型光起電力セルを形成し、所定の電圧と電流を出力するように、適宜にこれら多数のセルから成るモジュールを直並列に接続したものである。
【００１８】
図１において、１３はキーボタンから成る操作部、１４は表示部、１５はマイク、１６はスピーカ、１７は充電端子、１８はアンテナである。
本体ケース１１には、予め各所定位置に、操作部１３のキーボタン用開口、充電端子用開口、マイク用開口、スピーカ用開口、キーボタン用開口、充電端子用開口、表示部用開口が設けられており、これらの開口以外に前記のように可視光透過型光起電力セルが形成される。
表示部１４の対応部分に開口を設けないで、表示部の上面を太陽電池で覆うようにしてもよく、受光面積を大きくすることができる。
【００１９】
本発明によれば、上記の各開口部分を除いて筐体の全面が透明太陽電池で構成されることになるので、受光面積が大きくなり、使用中であっても、又不使用中に携帯電話機をどのように置いても、表面側（操作部側）又は裏面側及び各側面側が受光面となって、十分な発生電力を得ることができる。
そして得られた発生電力は例えば、液晶表示部のバックライトの電源として、内蔵電池の充電電源として、内蔵電池の代わりの携帯電話機の動作電源として、使用される。これにより、全体として内蔵電池の消耗を抑えることができる。
【００２０】
なお透明太陽電池の発生電力を上記のいずれの電源として使用する場合であっても、発生電圧の大きさは入射光量に左右されるので、そのままの電圧を電源電圧として使用することはできない。
そこで携帯電話機の動作電圧に適合するように調整する電圧調整回路を設け、透明太陽電池の発生電力をこの電圧調整回路を介して供給する。
【実施例２】
【００２１】
図２は図１のＡ−Ａ断面図である。
本発明では携帯電話機の筐体を透明太陽電池で構成しているので、筐体内に収納されている内部構成部品（制御部，送受信部，操作部，表示部，内蔵電池，充電端子等）が透明太陽電池製の筐体を通して見えることになる。
内部構成部品が筐体を通して見えても、これを積極的にデザインとして利用する場合には、このまま携帯電話機として使用することができる。
【００２２】
本実施例は、内部構成部品が筐体を通して見えないようにしたものであり、透明太陽電池で構成されている本体ケース１１と裏蓋１２のそれぞれの内側のガラス板を、透明のままでなく、不透明になるように好みの色彩に着色する。これによりいろいろな色彩の携帯電話機とすることができる。
【００２３】
或いは上記本体ケース１１と裏蓋１２のそれぞれの内面に好みの色彩で適宜の材料から成る不透明な薄い覆い部材２０，２１を装着する（例えば、貼り付ける）。この不透明な薄い覆い部材２０，２１として柔軟性のあるものを用いると、内部構成部品に対する緩衝材となる。
【００２４】
なおいずれの場合も、表示部１４の上面を太陽電池で覆うものにあっては、その部分は透明のままとする。
その他については、実施例１と同様である。
【図面の簡単な説明】
【００２５】
【図１】携帯電話機の斜視図。
【図２】図１のＡ−Ａ断面図。
【符号の説明】
【００２６】
１０  携帯電話機
１１  本体ケース（透明太陽電池）
１２  裏蓋（透明太陽電池）
１３  操作部
１４  表示部
１５  マイク
１６  スピーカ
１７  充電端子
１８  アンテナ
１９  内部構成部品
２０，２１  覆い部材
【図１】
2005129987.tif 000003
【図２】
2005129987.tif 000004